(57)【特許請求の範囲】
【請求項１】
上部フレームの背面に固定され，前記上部フレームを上下方向に案内可能に駆動リンクの一側が固定される第１結合軸を有する上部プレート；
正面の一側に前記上部プレートの第１結合軸が案内される第１ガイドが形成され，背面の両側に第１スライド手段が設けられたミドルフレーム；
背面にメインフレームが固定され，両側に前記ミドルフレームの第１スライド手段に案内されてスライドされるスライドガイド部が形成され，正面部の一側に前記駆動リンクの他側が固定される第２結合軸が設けられ，正面部の他側に前記ミドルフレームの支持手段を有するメインプレートを含んでなる移動通信端末機。
【請求項２】
前記上部プレートをスライド可能に，第２スライド手段が設けられ，一側に前記第１結合軸を上下方向に案内可能に，前記ミドルフレームの第１ガイドと連通される長孔の形成された固定板が，前記ミドルフレームの正面上部に固定され，前記ミドルフレームの下部には第１キー入力部が設けられ，前記メインフレームの下部には第２キー入力部が設けられることを特徴とする請求項１に記載の移動通信端末機。
【請求項３】
前記第２スライド手段は，前記上部プレートの両側に形成されたレール結合部に対応され，前記ミドルフレームの正面上部に固定される，上記固定板の両側に設けられたガイドレールからなることを特徴とする請求項２に記載の移動通信端末機。
【請求項４】
前記第１スライド手段は，前記メインプレートの両側に形成されたスライドガイド部に対応され，前記ミドルフレームの背面の両側に設けられるスライド部からなることを特徴とする請求項１に記載の移動通信端末機。
【請求項５】
前記駆動リンクは，一側が前記上部プレートの第１結合軸に固定され，他側が前記メインプレートの第２結合軸に固定され，前記ミドルフレームとメインプレートとの間に配置される単一の駆動リンクからなることを特徴とする請求項１に記載の移動通信端末機。
【請求項６】
前記支持手段は，前記ミドルフレームの背面の一側に形成されたガイド溝の両側にそれぞれ形成される第１及び第２掛止溝に選択的に支持固定可能に，一端に弾性ベンド部が形成された板ばねとして設けられることを特徴とする請求項１に記載の移動通信端末機。
【請求項７】
本体を形成するメインフレームが結合されるメインプレート；
前記メインプレートに結合されて前記メインフレームの長手方向にスライドされ，一側には長手方向に第１ガイドが形成され，前記第１ガイドと所定の角度をなして第２ガイドが形成されるミドルフレーム；
前記ミドルフレームの上面に形成された載置部に備えられ，該ミドルフレームの長手方向にスライドされる上部プレート；及び，
前記メインプレートに一端部がヒンジ結合され，前記上部プレートに他端部がヒンジ結合され，中央部が前記第２ガイドに結合され，前記上部プレートの移動時に前記ミドルフレームを前記上部プレートの移動方向に対応するように移動させる駆動リンクを含んでなる移動通信端末機。
【請求項８】
前記駆動リンクは，前記ミドルフレームの下側に備えられ，前記上部プレートに形成され，前記第１ガイドを貫通する第１結合軸に一側がヒンジ結合されて回転する第１リンクと，
前記メインプレートに一側がヒンジ結合され，前記第１リンクと前記第２ガイドにそれぞれ他側が結合され，前記第１リンクと連動しながら前記ミドルフレームを移動させる第２リンクを含んでなることを特徴とする請求項７に記載の移動通信端末機。
【請求項９】
前記第２リンクの他側には加圧突起が形成され，該加圧突起が前記第２ガイドに結合され，該第２ガイドに沿って移動しながら前記第２リンクの回転力により前記ミドルフレームを直線移動させることを特徴とする請求項８に記載の移動通信端末機。
【請求項１０】
前記第１リンクの他側には第１移動突起が形成され，前記第２リンクの他側には第２移動突起が形成され，前記第２リンク及び前記第１リンクの中央部に長手方向に形成された第２スライド溝と第１スライド溝にそれぞれ結合され，長手方向に沿って移動することにより前記第１リンクと第２リンクの全長は可変されることを特徴とする請求項８に記載の移動通信端末機。
【請求項１１】
前記上部プレートにはディスプレイ部の備えられた上部フレームが結合され，前記ミドルフレームの上面の下側には第１キー入力部が備えられ，前記メインフレームの上面の下側には第２キー入力部が備えられ，前記第１キー入力部は前記上部フレームの開放移動が完了したとき全面が外部に露出され，前記第２キー入力部は前記ミドルフレームの開放移動が完了したとき全面が外部に露出されることを特徴とする請求項７に記載の移動通信端末機。
【請求項１２】
一側に番号キーが備えられ，端末機の本体を形成するメインフレーム；
前記メインフレームの上面に結合され，該メインフレームの長手方向にスライドされるミドルフレーム；
前記ミドルフレームの下面にスライド可能に結合され，前記メインフレームに連結される第１プレート；
前記ミドルフレームの上面に結合され，該ミドルフレームの長手方向にスライドされ，上面にディスプレイ部が備えられた上部フレーム；
前記ミドルフレームの上面にスライド可能に結合され，前記上部フレームに連結される第２プレート；
一側が前記第２プレートに連結され，他側が前記第１プレートと連結され，前記ミドルフレームと第１プレートとの間に配置され，それぞれのフレームを相互スライドさせる駆動リンクを含んでなる移動通信端末機。
【発明の詳細な説明】
【技術分野】
【０００１】
関連出願の記載
本出願は２００７年９月１０日に出願された韓国特許出願第２００７−９１７７３号及び第２００７−９１７７４号を基礎出願として優先権主張する出願であって，これらを引用することにより本願発明に包含される。
【０００２】
本発明は移動通信端末機に関するものであって，より詳しくは作動性が向上され且つ小型化された移動通信端末機に関するものである。
【背景技術】
【０００３】
一般的に移動通信機は携帯電話，個人携帯端末機（ＰＤＡ），スマートフォンなどがあり，これらは，各々複数の操作ボタンとディスプレイウィンドウが備えられる。
【０００４】
このような移動通信機の一例である携帯電話は，外形及び送受話部の位置によってバータイプ（bar type），フリップタイプ（flip type），フォルダータイプ（folder type）及びスライドタイプ（slide type）などに区分されるが，携帯電話の発売初期にはバータイプ及びフリップタイプが主流をなしていた。
【０００５】
一方，現在の携帯電話は多様なディスプレイ機能及び小型化が要求されることにより，フォルダータイプとスライドタイプが主流をなしている。
【０００６】
この中で，スライドタイプの携帯電話は，通話や操作ボタンを操作するためにフォルダーを１８０度近く開かなければならないフォルダータイプに比べて，操作が便利であり，ディスプレイウィンドウが外部に露出されており，ワイドディスプレイウィンドウの具現により好適であるという点等の種々の長所により需要が継続して増加しており，多様なモデルが連続して発売されている。
【０００７】
このようなスライドタイプの携帯電話は，一般に，操作ボタン（文字及び番号）が装着される下部本体と，ディスプレイウィンドウが配置されて上記の下部本体と相互にスライド可能に設けられる上部本体からなる。
【０００８】
しかし，前記上部本体にはディスプレイウィンドウだけでなくナビゲーションボタン（カーソルの上下左右移動）が共に備えられることになるため，ディスプレイウィンドウの大きさを増加させることに対して制約が発生する問題点があった。
【０００９】
そして，前記ディスプレイウィンドウを大きくするためには，前記上部本体もそれに対応して大きくなることにより，携帯電話全体が大きくなって小型化できないという問題点があった。
【００１０】
この発明の先行技術文献情報としては，次のものがある。
【特許文献１】大韓民国特許公開第１０−２００５−００９５４６４号公報
【特許文献２】大韓民国特許公開第１０−２００７−００６９６５７号公報
【発明の開示】
【発明が解決しようとする課題】
【００１１】
上記のような問題点を解決するために，本発明は操作性が向上した且つ小型化された移動通信端末機を提供することを目的とする。
【課題を解決するための手段】
【００１２】
上記目的を達成するために，本発明の好適な実施例による移動通信端末機は，上部フレームの背面に固定され，該上部フレームを上下方向に案内可能に駆動リンクの一側が固定される第１結合軸を有する上部プレート；正面の一側に該上部プレートの第１結合軸が案内される第１ガイドが形成され，背面の両側に第１スライド手段が設けられたミドルフレーム；背面にメインフレームが固定され，両側に前記ミドルフレームの第１スライド手段に案内されてスライドされるスライドガイド部が形成され，正面部の一側に前記駆動リンクの他側が固定される第２結合軸が設けられ，正面部の他側に前記ミドルフレームの支持手段を有するメインプレートを含んでなる。
【００１３】
ここで，前記上部プレートをスライド可能に第２スライド手段が設けられ，一側に前記第１結合軸を上下方向に案内可能に前記ミドルフレームの第１ガイドと連通される長孔の形成された固定板が前記ミドルフレームの正面上部に固定され，前記ミドルフレームの下部には第１キー入力部が設けられ，前記メインフレームの下部には第２キー入力部が設けられることが好ましい。  
【００１４】
また，前記第２スライド手段は，前記上部プレートの両側に形成されたレール結合部に対応し，前記ミドルフレームの正面上部に固定される前記固定板の両側に設けられたガイドレールからなり得る。
【００１５】
さらに，前記第１スライド手段は，前記メインプレートの両側に形成されたスライドガイド部に対応し，前記ミドルフレームの背面の両側に設けられるスライド部からなることが好ましい。
【００１６】
一方，前記駆動リンクは，一側が前記上部プレートの第１結合軸に固定され，他側が前記メインプレートの第２結合軸に固定され，前記ミドルフレームとメインプレートとの間に配置される単一の駆動リンクからなり得る。
【００１７】
又，前記支持手段は，前記ミドルフレームの背面の一側に形成されたガイド溝の両側にそれぞれ形成される第１及び第２掛止溝に選択的に支持固定可能に，一端に弾性ベンド部が形成された板ばねとして設けられることが好ましい。
【００１８】
一方，本発明による移動通信端末機は，本体を形成するメインフレームが結合されるメインプレート；該メインプレートに結合されて前記メインフレームの長手方向にスライドされ，一側には長手方向に第１ガイドが形成され，該第１ガイドと所定の角度をなして第２ガイドが形成されるミドルフレーム；該ミドルフレームの上面に形成された載置部に備えられて前記ミドルフレームの長手方向にスライドされる上部プレート；及び，前記メインプレートに一端部がヒンジ結合され，前記上部プレートに他端部がヒンジ結合され，中央部が上記の第２ガイドに結合され，前記上部プレートの移動時に前記ミドルフレームを前記上部プレートの移動方向に対応するように移動させる駆動リンクを含んでなり得る。
【００１９】
ここで，前記駆動リンクは，前記ミドルフレームの下側に備えられ，前記上部プレートに形成されて前記第１ガイドを貫通する第１結合軸に一側がヒンジ結合されて回転する第１リンクと，前記メインプレートに一側がヒンジ結合され，前記第１リンクと前記第２ガイドにそれぞれ他側が結合され，前記第１リンクと連動しながら前記ミドルフレームを移動させる第２リンクを含んでなることが好ましい。
【００２０】
そして，前記第２リンクの他側には加圧突起が形成され，該加圧突起が前記第２ガイドに結合され，該第２ガイドに沿って移動しながら前記第２リンクの回転力により前記ミドルフレームを直線移動させることが好ましい。
【００２１】
また，前記第１リンクの他側には第１移動突起が形成され，前記第２リンクの他側には第２移動突起が形成され，前記第２リンクと前記第１リンクの中央部に長手方向に形成された第２スライド溝と第１スライド溝にそれぞれ結合され，長手方向に沿って移動することにより前記第１リンクと第２リンクの全長は可変されることが好ましい。
【００２２】
そして，前記上部プレートにはディスプレイ部が備えられた上部フレームが結合され，前記ミドルフレームの上面の下側には第１キー入力部が備えられ，前記メインフレームの上面の下側には第２キー入力部が備えられ，前記第１キー入力部は前記上部フレームの開放移動が完了したとき全面が外部に露出され，前記第２キー入力部は前記ミドルフレームの開放移動が完了したとき全面が外部に露出されることが好ましい。
【００２３】
一方，本発明による移動通信端末機は一側に番号キーが備えられ，端末機の本体を形成するメインフレーム；該メインフレームの上面に結合され，該メインフレームの長手方向にスライドされるミドルフレーム；該ミドルフレームの下面にスライド可能に結合され，前記メインフレームに連結される第１プレート；前記ミドルフレームの上面に結合され，前記ミドルフレームの長手方向にスライドされ，上面にディスプレイ部が備えられた上部フレーム；前記ミドルフレームの上面にスライド可能に結合され，前記上部フレームに連結される第２プレート；一側が前記第２プレートに連結され，他側が前記第１プレートと連結され，前記ミドルフレームと第１プレートとの間に配置され，それぞれのフレームを相互スライドさせる駆動リンクを含んでなることもできる。
【発明の効果】
【００２４】
上記で説明した本発明による移動通信端末機は，次のような効果を有する。
【００２５】
第一に，ミドルフレームの正面及び背面にそれぞれ第１及び上部プレートがスライド可能に連結された２段スライドモジュールを設けることで，３段からなるスライドタイプの移動通信端末機を提供することができる。
【００２６】
第二に，単一の駆動リンクのみでそれぞれのフレームが相互連動可能にすることで，製造単価を下げて製造費用を節減することができる。
【００２７】
第三に，単一の駆動リンクを設けることにより，スライド動作の制御が容易であり，２段スライド構造を単純化することができ，これにより生産性を著しく増大させることができる。
【００２８】
第四に，単一の駆動リンクを設けることにより，３段からなるスライドタイプの移動通信端末機で２段スライドモジュールの小型化が可能であることはもちろんのこと，コンパクトな移動通信端末機を提供することができる。
【００２９】
第五に，中間部材である２段のミドルフレーム上部の半分が，１段の上部フレームの下部に内設され，下部の半分が３段のメインフレームの上部に内設されることにより，３段からなるスライドタイプの移動通信端末機の１段及び２段の組立体が上方に完全にスライドされた場合にも，前記組立体の安定した配置が行われる。
【００３０】
第六に，ディスプレイ部と第１キー入力部，及び第２キー入力部がそれぞれ別途のフレームに備えられることにより，前記各フレームの大きさが最小化でき，前記移動通信端末機を閉じたときは，全体としてさらにコンパクトな状態を維持することが可能になる。
【００３１】
そして，第七に，上部フレームとミドルフレームが駆動リンクにより相互に連動するようにメインフレームに結合することにより，ユーザーは前記上部フレームのみを移動させることだけで，前記ミドルフレームが連動されて移動するため，移動通信端末機の開閉がより円滑，簡便に行われる。
【００３２】
本発明の特徴及び長所は，後述する本発明の実施例の詳細な説明と共に添付する図面を参考することにより理解できる。
【発明を実施するための最良の形態】
【００３３】
以下，上記の目的が具体的に実現できる本発明の好適な実施例を，添付する図面を参照して説明する。本実施例を説明するにあたり，同一構成部材に対しては同一名称及び同一符号が使用されている。
【００３４】
以下，添付図面を参照して，本発明の好適な実施例による移動通信端末機を詳細に説明する。  
【００３５】
図１ａ及び図１ｂは，本発明による移動通信端末機の閉じた状態及びスライドされて開いた状態の斜視図である。
【００３６】
図１ａ及び図１ｂに示すように，本発明の好適な実施例による移動通信端末機は，上部フレーム（１００），ミドルフレーム（２００），及びメインフレーム（３００）を含む。
【００３７】
ここで，前記上部フレーム（１００）は，正面にディスプレイ部（１１０）が設けられ，該ディスプレイ部（１１０）は前記上部フレーム（１００）の正面全体にかけて設けられることが好ましいが，前記上部フレーム（１００）の正面四辺の端縁部分に所定の間隙を設けて配置することもできる。
【００３８】
また，前記ミドルフレーム（２００）は正面に前記上部フレーム（１００）がスライド可能に固定され，前記ミドルフレーム（２００）の正面下部には電源及び各種機能を実行する第１キー入力部（２１０）が設けられることが好ましい。
【００３９】
そして，前記メインフレーム（３００）は正面に前記ミドルフレーム（２００）がスライド可能に固定され，前記メインフレーム（３００）の正面下部には第２キー入力部（３１０）が設けられる。
【００４０】
一方，移動通信端末機は，前記上部フレーム（１００），ミドルフレーム（２００），及びメインフレーム（３００）の３段からなり，相互間にスライドされて上下方向に開閉できる。前記ミドルフレーム（２００）の正面の半分が前記上部フレーム（１００）の下部に内設固定される。
【００４１】
また，前記ミドルフレーム（２００）の背面の半分が，前記メインフレーム（３００）の上部に内設固定される。
【００４２】
従って，３段の組立体からなるスライドタイプ移動通信端末機の第１段に該当する上部フレーム（１００），及び第２段に該当するミドルフレーム（２００）が上方（図１ａ）に完全にスライドされた場合にも，前記第１段から第３段に至る組立体（１００，２００，３００）の安定した配置が行われ得る。
【００４３】
一方，前述したような前記上部フレーム（１００），ミドルフレーム（２００），及びメインフレーム（３００）の３段からなる移動通信端末機がスライドされる段階を見ると，次の通りである。
【００４４】
まず，前記メインフレーム（３００）を基準に第１段の前記上部フレーム（１００）がスライドされる。
【００４５】
以後，前記上部フレーム（１００）が完全に上方にスライドされた後は，前記上部フレーム（１００）と前記ミドルフレーム（２００）が共に前記メインフレーム（３００）から上方にスライドされることにより開く段階のスライドが行われる。
【００４６】
このように２段スライドが行われるために，３段の組立体（１００，２００，３００）からなる移動通信端末機は，中央部に配置されたミドルフレーム（２００）の正面及び背面にメインプレート（２８０）及び上部プレート（２２０）が連結された２段スライドモジュールとして設けられることが好ましい。
【００４７】
図２及び図３は，それぞれ，本発明の第１実施例による移動通信端末機の２段スライドモジュールの組立状態を示す正面斜視図及び背面斜視図であり，図４は，本発明の第１実施例による移動通信端末機の２段スライドモジュールを示す正面分解斜視図であり，図５は，本発明の第１実施例による移動通信端末機の２段スライドモジュールを示す背面分解斜視図である。
【００４８】
図２乃至図５に示すように，本発明の好適な実施例による移動通信端末機の２段スライドモジュールにおいて，ミドルフレーム（２００）には上部プレート（２２０）及びメインプレート（２８０）がその正面及び背面にそれぞれ連結される。
【００４９】
ここで，前記上部プレート（２２０）は，上部フレーム（図１ｂにおいて符号１００）の背面に固定され，垂直（上下）方向に案内可能に駆動リンク（２９０）の一側が固定される第１結合軸（２２１）を以って設けられることが好ましい。
【００５０】
また，前記ミドルフレーム（２００）は，正面の一側に前記上部プレート（２２０）の第１結合軸（２２１）が案内される第１ガイド（２６１）が形成され，背面の両側に第１スライド手段が設けられる。
【００５１】
この際，前記第１スライド手段は，前記メインプレート（２８０）の両側に形成されたスライドガイド部（２８３）に対応され，前記ミドルフレーム（２００）の背面の両側に設けられるスライド部（２６３）からなることが好ましい。
【００５２】
一方，前記メインプレート（２８０）は背面に前記メインフレーム（３００）が固定され，両側に前記ミドルフレーム（２００）のスライド部（２６３）に案内されてスライドされるスライドガイド部（２８３）が形成される。
【００５３】
また，前記メインプレート（２８０）は正面部の一側に前記駆動リンク（２９０）の他側が固定される第２結合軸（２８１）が設けられ，正面部の他側に前記ミドルフレーム（２００）の支持手段（２８５）が設けられる。
【００５４】
ここで，前記支持手段（２８５）は，前記ミドルフレーム（２００）の背面の一側に設けられたガイド溝（２６５）の両側の第１及び第２掛止溝（２６７，２６８）に選択的に支持固定される弾性ベンド部（２８６）が一端に形成された板ばね（２８５）として設けられることが好ましい。
【００５５】
このとき，前記ガイド溝（２６５）の両端部には傾斜面（２６６）がそれぞれ形成され，前記ミドルフレーム（２００）が上下方向にスライドされることにより，選択的に前記板ばね（２８５）が前記ガイド溝（２６５）に案内され，前記傾斜面（２６６）を介して前記第１及び第２掛止溝（２６７，２６８）に選択的に掛止する。
【００５６】
このように，前記板ばね（２８５）の弾性ベンド部（２８６）が前記傾斜面（２６６）を介して前記第１及び第２掛止溝（２６７，２６８）に選択的に掛かることにより，移動通信端末機を上方にスライドさせて開こうとする場合，前記上部フレーム（１００）がスライドされる間，前記ミドルフレーム（２００）が移動する現象が防止できる（図２参照）。
【００５７】
又，前記上部フレーム（１００）及びミドルフレーム（２００）のスライド時に，前記ミドルフレーム（２００）が移動する現象を防止する前記板ばね（２８５）と，第１及び第２掛止溝（２６７，２６８）の構成は，それぞれ磁性体（図示せず）で構成することもでき，通常のスプリング付勢手段（図示せず）として設けることもできる。
【００５８】
一方，前記ミドルフレーム（２００）は，正面の上部に前記上部プレート（２２０）をスライド可能に第２ガイド手段（２４３）が設けられる。
【００５９】
また，前記ミドルフレーム（２００）は，一側に前記第１結合軸（２２１）が上下方向に案内可能に，前記ミドルフレーム（２００）の第１ガイド（２６１）と連通する長孔（２４１）の形成された固定板（２４０）が，前記ミドルフレーム（２００）の正面上部に設けられた載置部（２６４）に固定されることが好ましい。
【００６０】
この際，前記固定板（２４０）は，前記ミドルフレーム（２００）の載置部（２６４）に締結部材により締結固定されることが好ましく，さらに前記固定板（２４０）は前記ミドルフレーム（２００）の正面上部に一体に設けることもできる。
【００６１】
また，前記ミドルフレーム（２００）の正面上部に前記載置部（２６４）が設けられ，正面下部には第１キー入力部（図１ｂにおいて符号２１０）が配置されるキー配置溝（２６２）が設けられることが好ましい。
【００６２】
そして，前記固定板（２４０）の長孔（２４１）の両端部の形状は，好ましくは，前記上部プレート（２２０）の第１結合軸（２２１）の形状と対応する半円状に形成する。
【００６３】
さらに，前記ミドルフレーム（２００）の正面一側に形成された第１ガイド（２６１）も，前記長孔（２４１）と同様に，好ましくは，両端部の形状が前記上部プレート（２２０）の第１結合軸（２２１）の形状と対応する半円状に形成する。
【００６４】
一方，前記駆動リンク（２９０）は，一側が前記上部プレート（２２０）の第１結合軸（２２１）に固定され，他側が前記メインプレート（２８０）の第２結合軸（２８１）に固定され，好ましくは，前記ミドルフレーム（２００）とメインプレート（２８０）との間に配置される単一の駆動リンク（２９０）で構成することができる。
【００６５】
また，前記駆動リンク（２９０）は，多数回屈曲され形成されたウェーブタイプのスプリング（波スプリング）として設けられることが好ましく，これにより弾性力が保持あるいは解放され，前記上部プレート（２２０），ミドルフレーム（２００），及びメインプレート（２８０）が相互に連動してスライドする。
【００６６】
この際，上記のようなウェーブタイプのスプリングは単層のスプリングであって，平面状の単層から構成され厚さが薄く，複数の屈曲部からなることによって，応力が一部分に集中しない。
【００６７】
そして，前記駆動リンク（２９０）は中央部がコイル状に形成され，両端に固定フックなどの固定手段が設けられたトーションスプリング（図示せず）で構成することができ，さらに弾性力が保持あるいは解放できる多様なリンク装置で構成することもできる。
【００６８】
前述したように，単一の駆動リンク（２９０）を設けることによりスライド動作の制御が容易で２段スライド構造を単純化することができ，これにより移動通信端末機の生産性を顕著に増大させることができる。
【００６９】
また，単一の駆動リンク（２９０）を設けることにより，３段構成からなるスライドタイプの移動通信端末機において２段スライドモジュールの小型化が可能であり，コンパクトな移動通信端末機を具現させることができる。
【００７０】
一方，前述したような本発明による移動通信端末機において，それぞれの組立体（１００，２００，３００）が上下方向にスライドされて開閉される２段スライドモジュールの作動状態を説明すると，次の通りである。
【００７１】
図６は，本発明の第１実施例による移動通信端末機を開く状態を示す２段スライドモジュールの正面作動状態図であり，図７は，本発明の第１実施例による移動通信端末機を開く状態を示す２段スライドモジュールの背面作動状態図であり，図８は，本発明の第１実施例による移動通信端末機を閉じる状態の背面を示す２段スライドモジュールの作動状態図である。
【００７２】
まず，本発明による移動通信端末機の２段スライドモジュールは，図１ａ，１ｂ及び図２の上部フレーム（１００），ミドルフレーム（２００），及びメインフレーム（３００）の３段からなる移動通信端末機において，ミドルフレーム（２００），メインプレート（２８０），及び上部プレート（２２０）を含み，以下では  図１ａ，図１ｂ及び図２を図６及び図７と共に参照して説明する。
【００７３】
図６及び図７で示されるように，本発明による移動通信端末機を開く状態の２段スライドモジュールの作動状態は，最初に上部フレーム（１００）を上方に押し上げると，前記上部フレーム（１００）の背面に固定された上部プレート（２２０）が上方にスライドされる。
【００７４】
ここで，前記上部フレーム（１００）は，前記上部プレート（２２０）の第１結合軸（２２１）が固定板（２４０）の長孔（２４１）及びミドルフレーム（２００）の第１ガイド（２６１）に案内されて上方に移動し，前記第１結合軸が前記長孔（２４１）及び第１ガイド（２６１）の上段に至るまでスライドされる。
【００７５】
以後，前記上部フレーム（１００）は上方にこれ以上スライドできなくなり，前記第１結合軸（２２１）によりミドルフレーム（２００）が前記上部フレーム（１００）と共に上方にスライドされる。
【００７６】
この際，前記ミドルフレーム（２００）は前記ミドルフレーム（２００）の背面に固定されたメインプレート（２８０）のスライドガイド部（２８３）に沿って前記ミドルフレーム（２００）の背面の両側に設けられたスライド部（２６３）に案内されて上方にスライドされる。
【００７７】
ここで，前記メインプレート（２８０）の一側に設けられた板ばね（２８５）の弾性ベンド部（２８６）が，移動通信端末機が閉じた状態における位置，即ち前記ミドルフレーム（２００）の第１掛止溝（２６７）から離脱してガイド溝（２６５）に案内され，傾斜面（２６６）を経て，第２掛止溝（２６８）に掛止される。
【００７８】
上記の過程を経て，移動通信端末機の上部フレーム（１００）及びミドルフレーム（２００）が上方にスライドされ，ディスプレイ部（１１０）と第１キー入力部（２１０），及び第２キー入力部（３１０）が露出されるように移動通信端末機が上方にスライドされる動作が完了する。
【００７９】
前述したような移動通信端末機が３段にスライドされて開く作動状態における駆動リンク（２９０）の作用を見ると，単一の駆動リンク（２９０）が一側及び他側が第１及び第２結合軸（２２１，２８１）に固定され，前記結合軸（２２１，２８１）により弾性力を貯蔵及び放出する作用をすると共に，相互連動させることにより各組立体（１００，２００，３００）が相互連動されてスライドされることが分かる。
【００８０】
一方，図８を参照して本発明による移動通信端末機を閉じる状態を示す２段スライドモジュールの背面作動状態を説明すると，次の通りである。
【００８１】
まず，本発明による移動通信端末機を開く状態については図６及び７を参照した上記説明と重複する部分は省略し，  図１ａ，図１ｂ及び図２を更に参照して説明する。
【００８２】
最初に，移動通信端末機が開いた状態でメインフレーム（３００）の正面に固定されたメインプレート（２８０）の板ばね（２８５）において，弾性ベンド部（２８６）がミドルフレーム（２００）の第２掛止溝（２６８）から離脱して，ミドルフレーム（２００）が下方にスライドされて第１掛止溝（２６７）に掛止される。
【００８３】
これにより，上部フレーム（１００）が上方にスライドされた状態で前記ミドルフレーム（２００）と共に下方にスライドされる。
【００８４】
上記のように，前記メインプレート（２８０）のスライドガイド部（２８３）が，前記ミドルフレーム（２００）の背面両側スライド部（２６３）に案内されて下側にスライドされ，前記板ばね（２８５）の弾性ベンド部（２８６）が前記ミドルフレーム（２００）の第１掛止溝（２６７）に掛止されることにより１次的なスライドが完了する。
【００８５】
以後，上部フレーム（１００）の背面に固定された上部プレート（２２０）が，前記ミドルフレーム（２００）の正面上部に固定された固定板（２４０）のガイドレール（２４３）に案内されて下側にスライドされ，前記上部フレーム（１００）が閉じた状態でスライドされる。
【００８６】
前述したような本発明による移動通信端末機は，単一の駆動リンク（２９０）をミドルフレーム（２００）の背面とメインプレート（２８０）の正面との間に配置することにより，スライド動作の制御が容易である。
【００８７】
また，上記のような単一の駆動リンク（２９０）を設けることによりスライドタイプの移動通信端末機の厚さを顕著に減らすことができるため，コンパクトなスライドタイプの移動通信端末機を実施することができる。
【００８８】
図９は，本発明の第２実施例による移動通信端末機の分解斜視図である。
【００８９】
図１ａ及び図１ｂを参照すると，図１ａ，１ｂ及び図９で示されるように，前記移動通信端末機はそれぞれがリンク部材により連結される上部フレーム（１００），ミドルフレーム（２００），及びメインフレーム（３００）を含む。
【００９０】
前記ミドルフレーム（２００）は，前記上部フレーム（１００）の移動方向に連動されるようにリンク結合されることにより，前記上部フレーム（１００）の移動操作だけでも前記移動通信端末機の開閉を可能とする。
【００９１】
詳しくは，正面にディスプレイ部（１１０）を備える前記上部フレーム（１００）は，前記ミドルフレーム（２００）の正面に備えられた固定板（５０）に結合されてスライドされる前記上部プレート（６０）に結合され，前記ミドルフレーム（２００）の長手方向にスライドされることが好ましい。
【００９２】
この際，好ましくは，前記ミドルフレーム（２００）の上面の下側には第１キー入力部（２１０）が備えられるが，この第１キー入力部（２１０）は，カーソルの上下左右移動を操作するなどの機能を有するナビゲーションボタン部からなり得る。
【００９３】
そして，前記ミドルフレーム（２００）の下側には，好ましくは，前記ミドルフレーム（２００）の長手方向にスライドされるメインプレート（８０）が備えられ，前記メインプレート（８０）には前記メインフレーム（３００）が結合されることが好ましい。
【００９４】
また，前記メインフレーム（３００）の上面の下側には，好ましくは，第２キー入力部（３１０）が備えられ，この第２キー入力部（３１０）は，文字或いは数字などを入力する機能を有するメインボタン部からなり得る。
【００９５】
一方，前記メインフレーム（３００）の上に備えられる前記ミドルフレーム（２００）と，該ミドルフレーム（２００）の上に備えられる前記上部フレーム（１００）は，好ましくは，それぞれ後述する駆動リンクにより連動されるように連結する。
【００９６】
これにより，前記上部フレーム（１００）が前記ミドルフレーム（２００）の上部又は下部に移動すると，前記ミドルフレーム（２００）も前記上部フレーム（１００）の移動方向に移動可能になる。
【００９７】
従って，前記上部フレーム（１００）が前記ミドルフレーム（２００）の上方に開放移動すると，これと同時に前記ミドルフレーム（２００）も前記メインフレーム（３００）の上方に移動し，前記移動通信端末機を開くようになる。
【００９８】
この時，前記上部フレーム（１００）の開放移動が完了すると，前記第１キー入力部（２１０）は外部に全面が露出されると共に，前記第２キー入力部（３１０）も外部に全面が露出されることが好ましい。
【００９９】
そして，前記上部フレーム（１００）が前記ミドルフレーム（２００）の下側に移動すると，これと同時に前記ミドルフレーム（２００）も前記メインフレーム（３００）の下側に移動して前記移動通信端末機は閉じるようになる。
【０１００】
ここで，前記上部フレーム（１００）は，前記メインフレーム（３００）の大きさに対応する大きさに形成されることが好ましく，前記ミドルフレーム（２００）は前記上部フレーム（１００）とメインフレーム（３００）の大きさより小さいか又は同様の大きさに形成されてその間に備えられることが好ましい。  
【０１０１】
このように，前記ディスプレイ部（１１０）と第１キー入力部（２１０），及び第２キー入力部（３１０）がそれぞれのフレーム（１００，２００，３００）に備えられることにより，前記各フレーム（１００，２００，３００）の大きさが最小化でき，これにより前記移動通信端末機を閉じたときは，全体としてさらにコンパクトな状態を維持することが可能になる。
【０１０２】
図１０は，本発明の第２実施例による移動通信端末機の組立状態を示す正面図であり，図１１は，本発明の第２実施例による移動通信端末機の組立状態の正面を示す分解斜視図であり，図１２は，本発明の第２実施例による移動通信端末機の組立状態を示す背面図であり，図１３は，本発明の第２実施例による移動通信端末機の組立状態の背面を示す分解斜視図である。
【０１０３】
図１０乃至図１３で示されるように，前記移動通信端末機はミドルフレーム（２００），上部プレート（６０），メインプレート（８０），固定板（５０），及び駆動リンクを含んでなることが好ましい。
【０１０４】
ここで，前記ミドルフレーム（２００）の正面の上部及び中央部には載置部（４２）が形成され，下部にはキー配置溝（４４）が形成されることが好ましい。
【０１０５】
そして前記載置部（４２）には，上記ミドルフレーム（２００）の長手方向に第１ガイド（４５）が貫通形成されることが好ましく，前記第１ガイド（４５）の隣には前記第１ガイド（４５）と所定の角度をなして第２ガイド（４７）が貫通形成されることが好ましい。
【０１０６】
また，前記載置部（４２）には固定板（５０）が結合されることが好ましい。
【０１０７】
この際，前記固定板（５０）により第１ガイド（４５）及び前記第２ガイド（４７）が遮られないように前記固定板（５０）の一側には前記第１ガイド（４５）に対応するように長孔（５４）と，上記第２ガイド（４７）が含まれるように溝部（５２）がそれぞれ貫通形成されることが好ましい。
【０１０８】
そして，前記固定板（５０）の両端部は折り曲げられてガイドレール（５５）から形成されることが好ましいが，前記ガイドレール（５５）に上部プレート（６０）の両端部に形成されたレール結合部（６２）が結合されることにより，前記上部プレート（６０）は前記ガイドレール（５５）に沿ってスライドできる。
【０１０９】
また，前記上部プレート（６０）が結合された前記固定板（５０）は，前記固定板（５０）に形成された複数の雌ねじ孔又は挿孔から成る孔（５７）を介してそれぞれ結合される締結部材（５９）により前記ミドルフレーム（２００）に固定でき，前記締結部材（５９）としてはボルトが使用され得る。
【０１１０】
一方，前記上部プレート（６０）には第１結合軸（６４）が形成されることが好ましい。
【０１１１】
ここで，前記上部プレート（６０）が前記固定板（５０）に結合されて前記ミドルフレーム（２００）に備えられるとき，前記第１結合軸（６４）は前記長孔（５４）と前記第１ガイド（４５）が貫通できる位置に形成されることが好ましく，これにより前記第１結合軸（６４）は前記第１ガイド（４５）に沿って移動できる。
【０１１２】
また，前記ミドルフレーム（２００）の下側には駆動リンクとメインプレート（８０）を備えることができる。
【０１１３】
ここで，前記メインプレート（８０）の両端部にはスライドガイド部（８２）が形成され，前記スライドガイド部（８２）には，前記ミドルフレーム（２００）の背面両端部に形成されたスライド部（４９）が結合されることが好ましく，これにより前記ミドルフレーム（２００）は前記メインプレート（８０）に結合されて長手方向にスライド可能になる。
【０１１４】
そして，前記駆動リンクは前記ミドルフレーム（２００）と前記メインプレート（８０）との間に備えられることが好ましいが，ここで，前記駆動リンクは第１リンク（２０）と第２リンク（３０）を含んでなることが好ましい。
【０１１５】
詳しくは，前記第１リンク（２０）の一側には第１結合孔（２２）が貫通形成され，中央には長手方向に第１スライド溝（２４）が形成され，他側には第１移動突起（２６）が形成された板状の部材からなることが好ましい。
【０１１６】
ここで，前記第１結合孔（２２）は，前記長孔（５４）と前記第１ガイド（４５）を貫通して前記ミドルフレーム（２００）の背面に延長された前記第１結合軸（６４）にヒンジ結合される。
【０１１７】
これにより，前記第１リンク（２０）は前記第１結合軸（６４）を中心に回転可能である。
【０１１８】
また，前記第１結合軸（６４）の端部には，前記第１結合孔（２２）が前記第１結合軸（６４）から離脱しないように，前記第１結合軸（６４）頭部をかしめるなど，前記第１結合孔（２２）より大径の離脱防止部材（図示せず）をさらに備えることができる。
【０１１９】
一方，前記第２リンク（３０）は，一側に前記メインプレート（８０）に形成された第２結合軸（８４）とヒンジ結合されるように第２結合孔（３２）が形成され，中央には長手方向に第２スライド溝（３９）が貫通形成され，他側には第２移動突起（３６）が形成された板状の部材からなることが好ましい。
【０１２０】
ここで，前記第２結合孔（３２）は前記第２結合軸（８４）にヒンジ結合され，これにより前記第２リンク（３０）は前記第２結合軸（８４）を中心に回転可能である。
【０１２１】
そして，前記第１移動突起（２６）は，前記第２スライド溝（３９）に挿入可能に前記第２スライド溝（３９）の幅に対応する直径に形成され，前記第１スライド溝（２４）も前記第２移動突起（３６）が挿入可能に，前記第２移動突起（３６）の直径に対応する幅に形成されることが好ましい。
【０１２２】
このように，前記第１移動突起（２６）が前記第２スライド溝（３９）に連結され，前記第２移動突起（３６）も前記第１スライド溝（２４）にそれぞれ連結されることにより，前記第２リンク（３０）と前記第１リンク（２０）が連結される。
【０１２３】
また，前記第２リンク（３０）が前記第１リンク（２０）の長手方向に沿って移動が可能になるだけでなく，より安定的な連結と移動が行われるようになる。
【０１２４】
一方，前記第１移動突起（２６）と第２移動突起（３６）の端部には，前記第２スライド溝（３９）と第１スライド溝（２４）からそれぞれ離脱しないように，前記第１移動突起（２６）と第２移動突起（３６）より大径の離脱防止部材（図示せず）をさらに備えることができる。
【０１２５】
また，前記第２リンク（３０）の他側には加圧突起（３４）が形成されて前記第２ガイド（４７）に結合されることが好ましい。
【０１２６】
ここで，前記加圧突起（３４）は，前記第２ガイド（４７）に挿入されて前記第２ガイド（４７）の長手方向に移動可能に，好ましくは，前記第２ガイド（４７）の幅に対応する直径を有するように形成される。
【０１２７】
そして，前記加圧突起（３４）の端部には，前記第２ガイド（４７）の幅より大径の離脱防止部（図示せず）がさらに備えられ，前記加圧突起（３４）が前記第２ガイド（４７）から離脱することを防止できる。
【０１２８】
これにより，前記第２リンク（３０）は前記第１リンク（２０）と連結されるだけでなく，前記ミドルフレーム（２００）とも連結され，前記第１リンク（２０）が回動することにより連動しながら前記ミドルフレーム（２００）を移動させることができる。
【０１２９】
図１４は，本発明の第２実施例による移動通信端末機の作動状態を示す正面の作動状態図であり，図１５は，本発明の第２実施例による移動通信端末機の作動状態を示す背面の作動状態図であり，図１６は，図１５のＡ−Ａ線の断面図である。
【０１３０】
図１４及び図１５に示すように，前記上部プレート（６０）が前記第１ガイドレール（５５）に沿って前記ミドルフレーム（２００）の上方にスライドされると，前記第１結合軸（６４）は前記第１ガイド（４５）に沿って上方に移動するようになる。
【０１３１】
そして，前記第１結合軸（６４）とヒンジ結合された前記第１リンク（２０）も前記上部プレート（６０）に沿って上方に移動することになり，これにより前記第１結合軸（６４）と前記第２結合軸（８４）の間隔が漸減するようになる。
【０１３２】
前記第１結合軸（６４）と第２結合軸（８４）との間の直線距離は，前記第１リンク（２０）が上方に移動することにより，前記第１リンク（２０）と第２リンク（３０）が前記第１ガイド（４５）と垂直をなすときに最小になり，前記第１リンク（２０）の上方に移動することが続くことにより再び増加するようになる。
【０１３３】
従って，前記第１スライド溝（２４）と前記第２スライド溝（３９）にそれぞれ結合された前記第２移動突起（３６）と前記第１移動突起（図１３において符号２６）が，前記第１スライド溝（２４）と第２スライド溝（３９）に沿ってそれぞれ移動する。  
【０１３４】
また，前記第１スライド溝（２４）と第２スライド溝（３９）に沿ってそれぞれ移動するようになり，前記第１リンク（２０）と第２リンク（３０）の全長は，前記第１結合軸（６４）と前記第２結合軸（８４）との間の直線距離に対応するように可変である。
【０１３５】
さらに，前記第２リンク（３０）は前記第２結合軸（８４）を中心に前記上部プレート（６０）の移動方向に回転する。
【０１３６】
そして，前記第２リンク（３０）が，前記上部プレート（６０）の移動方向に回転することにより，前記加圧突起（３４）は前記第２ガイド（４７）の上面を加圧しながら前記第２ガイド（４７）の長手方向に移動する。
【０１３７】
また，前記第２リンク（３０）が上向回転することにより，前記第２リンク（３０）の回転力により前記ミドルフレーム（２００）は上方に押し上げられ，該ミドルフレーム（２００）は前記上部プレート（６０）の移動方向に直線移動する。
【０１３８】
一方，前記上部プレート（６０）の移動が完了した後，前記上部プレート（６０）が下方へ移動すると，前記第１リンク（２０）も連動して下方に移動し，前記第１リンク（２０）と連結された前記第２リンク（３０）も前記第２結合軸（８４）を中心に前記上部プレート（６０）の移動方向に回転するようになる。
【０１３９】
そして，前記加圧突起（３４）が前記第２ガイド（４７）の下側を加圧しながらスライドすることにより，前記ミドルフレーム（２００）は下方へ移動する。
【０１４０】
ここで，前記上部プレート（６０）の移動距離は，前記上部プレート（６０）が上方への移動が完了したとき，前記第１キー入力部（図１ｂにおいて符号２１０）の全面が見える位置までの移動となる。
【０１４１】
また，前記上部プレート（６０）の移動距離は，前記上部プレート（６０）の下方への移動が完了したときに，前記上部フレーム（図１ｂにおいて符号１００）の下端部が，前記メインフレーム（図１ｂにおいて符号３００）の下端部の位置に対応する位置となることが好ましい。
【０１４２】
一方，前記ミドルフレーム（２００）の移動距離は，前記ミドルフレーム（２００）の上方への移動が完了したときが，前記第２キー入力部（図１ｂにおいて符号３１０）の全面が見える位置までへの移動となる。
【０１４３】
また，前記ミドルフレーム（２００）の移動距離は，前記ミドルフレーム（２００）の下方への移動が完了したときが，前記ミドルフレーム（２００）の下端部が前記上部フレーム（図１ｂにおいて符号１００）とメインフレーム（図１ｂにおいて符号３００）の下端部の位置に対応する位置になるときであることが好ましい。
【０１４４】
このように，前記上部プレート（６０）の移動だけでも前記ミドルフレーム（２００）の移動が同時に行われることができ，より簡単に前記移動通信端末機の開閉ができる作動の便利性をユーザーに提供することができる。
【０１４５】
さらに，前記移動通信端末機が閉じたときさらにコンパクトなものとなる。
【０１４６】
一方，図１６に示すように，前記メインプレート（８０）の上側には前記メインプレート（８０）の長手方向に板ばね（８７）を備えることができる。
【０１４７】
ここで，前記板ばね（８７）の一側はベンドされて弾性ベンド部（８８）から形成することができる。
【０１４８】
そして，前記ミドルフレーム（２００）の底面には前記板ばね（８７）に対応する位置と幅，及び方向にガイド溝（４８ｂ）が形成され，前記ガイド溝（４８ｂ）の両側には掛止溝（４８ａ）がそれぞれ形成することができる。
【０１４９】
ここで，前記各掛止溝（４８ａ）は前記ミドルフレーム（２００）の上方への移動及び下方への移動がそれぞれ完了したとき，前記弾性ベンド部（８８）が載置可能に前記弾性ベンド部（８８）に対応する形状に形成されることが好ましい。  
【０１５０】
これにより，前記ミドルフレーム（２００）と共に前記上部フレーム（図１ｂにおいて符号１００）の不必要な移動が防止でき，前記ミドルフレーム（２００）の移動が完了したときは，ユーザーに掛止を感覚的に伝えることができる。
【０１５１】
一方，前記板ばね（８７）は別途に製造され溶接などの方法で前記メインプレート（８０）に取り付けられ，あるいは，前記メインプレート（８０）の一側をプレス加工して，前記メインプレートと一体に形成することもできる。
【０１５２】
ここで，前記板ばね（８７）は，前記ミドルフレーム（２００）と上部プレート（６０）の移動がより円滑に行われるように備えられ得る弾性部材の一例として適用されたものである。
【０１５３】
従って，必ずしも板ばねのタイプに限定されるものではなく，トーションスプリングやコイルスプリングのような多様な形態のスプリングが適用できる。
【０１５４】
一方，上述したような本発明の各実施例は本発明の理解のために構成したものであって，単純に前述した実施例にのみ限定されるものではなく，本発明の技術的思想から逸脱しない範囲内で多様な変形が可能である。  
【図面の簡単な説明】
【０１５５】
【図１】（ａ）は本発明による移動通信端末機の閉じた状態，（ｂ）はスライドされ開いた状態を示す斜視図。
【図２】本発明の第１実施例による移動通信端末機の２段スライドモジュールの正面を示す斜視図。
【図３】本発明の第１実施例による移動通信端末機の２段スライドモジュールの背面を示す斜視図。
【図４】本発明の第１実施例による移動通信端末機の２段スライドモジュールの正面を示す分解斜視図。
【図５】本発明の第１実施例による移動通信端末機の２段スライドモジュールの背面を示す分解斜視図。
【図６】本発明の第１実施例による移動通信端末機を開く状態の２段スライドモジュールの正面を示す図。
【図７】本発明の第１実施例による移動通信端末機を開く状態の２段スライドモジュールの背面を示す図。
【図８】本発明の第１実施例による移動通信端末機を閉じる状態の２段スライドモジュールの背面を示す図。
【図９】本発明の第２実施例による移動通信端末機の分解斜視図。
【図１０】本発明の第２実施例による移動通信端末機の組立状態を示す正面図。
【図１１】本発明の第２実施例による移動通信端末機の組立状態の正面を示す分解斜視図。
【図１２】本発明の第２実施例による移動通信端末機の組立状態を示す背面図。
【図１３】本発明の第２実施例による移動通信端末機の組立状態の背面を示す分解斜視図。
【図１４】本発明の第２実施例による移動通信端末機の作動状態の正面を示す状態図。
【図１５】本発明の第２実施例による移動通信端末機の作動状態の背面を示す状態図。
【図１６】図１５のＡ−Ａ線の断面図。
【図１】
0004731587.tif 000002
【図２】
0004731587.tif 000003
【図３】
0004731587.tif 000004
【図４】
0004731587.tif 000005
【図５】
0004731587.tif 000006
【図６】
0004731587.tif 000007
【図７】
0004731587.tif 000008
【図８】
0004731587.tif 000009
【図９】
0004731587.tif 000010
【図１０】
0004731587.tif 000011
【図１１】
0004731587.tif 000012
【図１２】
0004731587.tif 000013
【図１３】
0004731587.tif 000014
【図１４】
0004731587.tif 000015
【図１５】
0004731587.tif 000016
【図１６】
0004731587.tif 000017